(57)【特許請求の範囲】
【請求項１】
通信機能を物理層である第１層、データリンク層である第２層及びネットワーク層である第３層を含む複数の階層に分けて確立する通信方式により監視装置が被監視装置を監視するための監視方法であって、
前記監視装置が、前記第２層の通信機能の確立後、前記第３層の通信機能の確立の失敗を検出する検出段階と、
前記監視装置が、前記検出段階において前記第３層の通信機能の確立の失敗が検出された場合、前記第２層の通信機能上使用される第１の信号の所定領域に情報収集を要求する制御情報を設定した上で、当該第１の信号を前記第２層の通信機能により前記被監視装置に送出する要求段階と、
前記被監視装置が、前記要求段階で前記監視装置から送出された前記所定領域に情報収集を要求する制御情報が設定された第１の信号を受信すると、当該情報収集を要求する制御情報にしたがって当該被監視装置の状態に係る情報を収集する情報収集段階と、
前記被監視装置が、前記第２層の通信機能上使用される第２の信号の所定領域に前記情報収集段階で収集された情報を設定した上で、当該第２の信号を前記第２層の通信機能により前記監視装置に送出する応答段階と、
前記応答段階で前記被監視装置から送出された前記所定領域に情報が設定された第２の信号の前記所定領域に設定されている情報を読み出して前記被監視装置の状態に係る情報を取得する収集情報取得段階と
を有する監視方法。
【請求項２】
前記監視装置と被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
請求項１に記載の監視方法。
【請求項３】
通信機能を物理層である第１層、データリンク層である第２層及びネットワーク層である第３層を含む複数の階層に分けて確立する通信方式により被監視装置を監視する機能を有する情報処理装置であって、
前記第２層の通信機能の確立後、前記第３層の通信機能の確立の失敗を検出する検出手段と、
前記検出手段により前記第３層の通信機能の確立の失敗が検出された場合、前記第２層の通信機能上使用される第１の信号の所定領域に情報収集を要求する制御情報を設定した上で、当該第１の信号を前記第２層の通信機能により前記被監視対象装置に対し送出する要求手段と、
当該送出された第１の信号を受信した前記被監視装置が、当該第１の信号の前記所定領域に設定された情報収集を要求する制御情報にしたがって当該被監視装置の状態に係る情報を収集し、前記第２層の通信機能上使用される第２の信号の所定領域に前記収集された情報を設定した上で、前記第２層の通信機能により前記第２の信号を送信すると、当該第２の信号を受信しその前記所定領域に設定されている情報を読み出して前記被監視装置の状態に係る情報を取得する収集情報取得手段と
を有する情報処理装置。
【請求項４】
前記被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
請求項３に記載の情報処理装置。
【請求項５】
通信機能を物理層である第１層、データリンク層である第２層及びネットワーク層である第３層を含む複数の階層に分けて確立する通信方式による、監視装置の監視下にある情報処理装置であって、
監視装置が、前記第２層の通信機能の確立後、前記第３層の通信機能の確立の失敗を検出し、前記第２層の通信機能上使用される第１の信号の所定領域に情報収集を要求する制御情報を設定した上で、当該第１の信号を前記第２層の通信機能により送出すると、これを受信し、当該第１の信号の前記所定領域に設定された情報収集を要求する制御情報にしたがって当該情報処理装置の状態に係る情報を収集する情報収集手段と、
前記第２層の通信機能上使用される第２の信号の所定領域に前記収集された情報を設定した上で、前記第２層の通信機能により前記第２の信号を送信する応答手段と
を有する情報処理装置。
【請求項６】
前記監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
請求項５に記載の情報処理装置。
【請求項７】
通信機能を物理層である第１層、データリンク層である第２層及びネットワーク層である第３層を含む複数の階層に分けて確立する通信方式により被監視装置を監視する機能を有する情報処理装置の動作を制御するためのプログラムであって、
前記情報処理装置の動作を制御するコンピュータを
前記第２層の通信機能の確立後、前記第３層の通信機能の確立の失敗を検出する検出手段と、
前記検出手段により前記第３層の通信機能の確立の失敗が検出された場合、前記第２層の通信機能上使用される第１の信号の所定領域に情報収集を要求する制御情報を設定した上で、当該第１の信号を前記第２層の通信機能により前記被監視対象装置に対し送出する要求手段と、
当該送出された第１の信号を受信した前記被監視装置が、当該第１の信号の前記所定領域に設定された情報収集を要求する制御情報にしたがって当該被監視装置の状態に係る情報を収集し、前記第２層の通信機能上使用される第２の信号の所定領域に前記収集された情報を設定した上で、前記第２層の通信機能により前記第２の信号を送信すると、当該第２の信号を受信しその前記所定領域に設定されている情報を読み出して前記被監視装置の状態に係る情報を取得する収集情報取得手段と
して機能させるためのプログラム。
【請求項８】
前記被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
請求項７に記載のプログラム。
【発明の詳細な説明】
【技術分野】
【０００１】
本発明は監視方法、情報処理装置及びプログラムに係り、特に通信機能を物理層である第１層、データリンク層である第２層及びネットワーク層である第３層を含む複数の階層に分けて確立する通信方式によって監視装置が被監視装置を監視する場合の監視方法、当該監視装置或いは被監視装置としての情報処理装置、及び当該情報処理装置を制御するためのプログラムに関する。
【背景技術】
【０００２】
監視装置から通信回線を介して遠方に設置された装置（以下「遠隔装置」と称する）を監視する監視システムでは、監視装置は遠隔装置に対する監視制御機能を具備している。
【０００３】
これら監視装置と遠隔装置との間の通信回線の確立方法として、例えば国際標準化機構（ＩＳＯ）により制定された、異機種間のデータ通信を実現するためのネットワーク構造の設計方針（Ｏｐｅｎ  Ｓｙｓｔｅｍ  Ｉｎｔｅｒｃｏｎｎｅｃｔｉｏｎ、すなわちＯＳＩ)に基づいた方法が知られている。
【０００４】
この方法によれば、通信機能を物理層である第１層、データリンク層である第２層及びネットワーク層である第３層を含む複数の階層に分けて規定するプロトコル（すなわち上記ＯＳＩ）にしたがい、これら第１層、第２層、第３層の順に、下位レイヤから上位レイヤへとレイヤ毎に順次該当する通信機能を確立することで上位層の通信機能による通信を可能にする。
【０００５】
上記監視制御機能には、遠隔装置の運用状態を把握するため保守監視信号を用い遠隔装置の装置状態を定期的に収集する機能、遠隔装置で障害が発生した場合に収集された障害ログデータを遠隔から収集する機能等が含まれる。
【０００６】
以下に移動通信システムにおける無線基地局を例として監視装置と遠隔装置との間の通信回線の確立方法の例について説明する。
【０００７】
無線基地局の構成として、監視装置としての機能を有する、変復調機能を担う無線制御部と、遠隔装置としての機能を有する、送受信増幅機能を担う無線部とが、相互に離れた場所に設置され、その間が光ファイバで結ばれる1対nの接続形態を想定する。
【０００８】
更に、監視装置としての無線制御部と遠隔装置としての無線部との間のインタフェース部にはＣＰＲＩ（Ｃｏｍｍｏｎ  Ｐｕｂｌｉｃ  Ｒａｄｉｏ  Ｉｎｔｅｒｆａｃｅ）が用いられている場合を想定する。このＣＰＲＩについては例えばアドレスhttp://www.cpri.info/spec.htmlにおいて開示されている（２００７年７月２０日現在）。
【０００９】
ＣＰＲＩインタフェースによれば被監視装置を監視するための保守監視信号の送受信には第２層のＨＤＬＣリンクのＬＡＰＢプロトコルが使用され、その上位レイヤである第３層のコントロール＆マネジメントプレーンが用いられる。ＬＡＰＢプロトコルの詳細については例えばアドレスhttp://www.itu.int/rec/T-REC-X.25/enにおいて開示されている（２００７年７月２０日現在）。
【００１０】
ここで監視装置としての無線制御部が遠隔装置としての無線部との間で通信を確立する際、ＯＳＩのプロトコルにしたがって第２層の通信機能の確立後、遠隔装置における何らかの障害の発生により、第３層の通信機能が確立して運転状態になるまでの間に固定的に障害が発生するような場合を想定する。このような場合、監視装置と遠隔装置間との間で第３層の通信機能が確立できないため、監視装置は遠隔装置の監視制御を行うことが出来ない。
【００１１】
このような場合、当該固定的な障害の要因を調査するためには監視装置で監視を行っている保守員等が遠隔装置の設置場所まで直接出向き、当該遠隔装置から直接その障害ログデータを収集する必要があった。
【特許文献１】特開２０００−１５１７５７号公報
【発明の開示】
【発明が解決しようとする課題】
【００１２】
本発明はこのような状況に鑑み、通信機能を物理層である第１層、データリンク層である第２層及びネットワーク層である第３層を含む複数の階層に分けて確立する通信方式によって監視装置が被監視装置を監視するシステムにおいて、第２層の通信機能の確立後第３層の通信機能の確立に失敗した場合において、効率的な被監視装置側の情報の収集が可能となる構成を提供することを目的とする。
【課題を解決するための手段】
【００１３】
本発明によれば、監視装置が、第２層の通信機能の確立後、第３層の通信機能の確立の失敗を検出し、第２層の通信機能上使用される第１の信号の所定領域に情報収集を要求する制御情報を設定した上で、当該第１の信号を第２層の通信機能により被監視装置に送出し、被監視装置では監視装置から送出された第１の信号を受信すると当該第１の信号の所定領域に設定された情報収集を要求する制御情報にしたがって当該被監視装置の状態に係る情報を収集する。
【００１４】
そして被監視装置はこのようにして収集した情報を第２層の通信機能上使用される第２の信号の所定領域に設定し、当該第２の信号を第２層の通信機能により監視装置に送出する。
【００１５】
このようにして被監視装置から送出された第２の信号を受信した監視装置は、当該受信した第２の信号の所定領域に設定されている情報を読み出して被監視装置の状態に係る情報を取得する。
【００１６】
本発明によれば、監視装置は第２層の通信機能の確立後第３層の通信機能の確立の失敗を検出すると、第２層の通信機能上使用される第１の信号の所定領域に情報収集を要求する制御情報を設定した上で、当該第１の信号を第２層の通信機能により被監視対象装置に対し送出するため、このように第３層の通信機能が確立されていないような状況にあっても、既に確立済みの第２層の通信機能上使用される第１の信号を利用することで第２層の通信機能によって被監視装置に対し情報収集を要求する制御情報を送出することが可能となる。
【００１７】
その結果被監視装置に、このようにして監視装置から第２層の通信機能により送出された情報収集を要求する制御情報にしたがって当該被監視装置の状態に係る情報を収集させることが可能となる。
【００１８】
また被監視装置は、このように監視装置から送出された制御情報にしたがって収集した情報を第２層の通信機能上使用される第２の信号の所定領域に設定し第２層の通信機能により監視装置に送出する。したがって被監視装置は収集した情報を第２層の通信機能によって監視装置に送出することが出来る。
【００１９】
その結果監視装置は、このようにして被監視装置から送出された第２の信号を受信し、当該第２の信号の所定領域に設定されている情報を読み出して被監視装置の状態に係る情報を取得することが出来る。
【発明の効果】
【００２０】
このように本発明によれば、通信機能を物理層である第１層、データリンク層である第２層及びネットワーク層である第３層を含む複数の階層に分けて確立する通信方式によって監視装置が被監視装置を監視するシステムにおいて、第２層の通信機能の確立後第３層の通信機能の確立に失敗した場合であっても、既に確立済みの第２層の通信機能を利用した情報の授受が可能となるため被監視装置側の情報の収集を効率的に行える。
【００２１】
その結果被監視装置における障害の要因の迅速な解析が可能となり、もって当該監視システムの迅速な復旧が可能となる。
【発明を実施するための最良の形態】
【００２２】
通信機能を物理層である第１層、データリンク層である第２層及びネットワーク層である第３層を含む複数の階層に分けて確立する通信方式によって監視装置が被監視装置を監視するシステムにおいて、第２層の通信機能の確立後、第３層の通信機能が確立して運転状態になるまでの間で、固定的に障害が発生するような場合、従来は、監視装置と遠隔装置との間の第３層の通信機能が確立できないため、遠隔装置の監視制御が出来なかった。
【００２３】
このような状態では監視装置と遠隔装置との間の第２層の通信機能は確立している。このため以下に説明する本発明の実施例では、第２層の通信機能を利用した監視装置と被監視装置との間の必要な情報の送受信を可能にすることで、遠隔装置からの通信による情報の収集を可能にする。
【００２４】
すなわち本発明の実施例によれば、異機種間のデータ通信を実現するためのネットワーク構造の設計方針（ＯＳＩ）に基づいて確立された通信回線を介して接続される監視装置と遠隔装置との間の通信によって監視装置が遠隔装置を監視制御する監視システムにおいて、特に、第２層の通信機能の確立後に上位層の通信機能の確立に失敗したような場合、既に確立済である第２層の通信機能を用いた遠隔装置の障害ログデータの収集を可能にする。
【００２５】
そのため本発明の実施例では、監視装置において、第２層の通信機能の確立後上位層の通信機能の確立の失敗を検出した場合、監視装置と遠隔装置との間でお互いが認識可能な第２層の通信機能上使用される信号の特定領域に制御情報を設定して当該信号を送信する手段を設ける。
【００２６】
又遠隔装置においては、監視装置から送信された第２層の通信機能上使用される信号の特定領域に設定された制御情報に従って情報を収集し、収集された情報を第２層の通信機能上使用される信号に設定して監視装置へ応答する手段を設ける。
【００２７】
具体的には後述する図１３，図１４に示される如くのデータ構成を設け、監視装置において第２層の通信機能の確立後の上位層の通信機能の確立の失敗を検出するための制御フラグを追加し、上記監視装置と遠隔装置とが相互に認識可能な第２層の通信機能上使用される信号としてＬＡＰＢプロトコル上のＳＡＢＭ信号とＵＡ信号とを使用する。
【００２８】
又上記制御情報を設定する特定領域として上記ＬＡＰＢプロトコルによるＬＡＰＢフレームフォーマットにおける情報部（Ｉ）のフレームを使用し、障害ログデータの収集を制御する情報を設定する。
【００２９】
その結果、第２層の通信機能の確立後に上位層の通信機能の確立に失敗した場合であっても、既に確立済である第２層の通信機能上使用される信号の特定領域（すなわちＳＡＢＭ信号およびＵＡ信号の情報部（Ｉ）フレーム）を使用した遠隔装置の障害ログデータの収集が可能になる。
【００３０】
すなわち本発明の実施例では、異機種間のデータ通信を実現するためのネットワーク構造の設計方針（ＯＳＩ）に基づいて確立された通信回線を介して接続される監視装置と遠隔装置とを有する監視システムにおいて、監視装置は第２層の通信機能の確立後に上位層の通信機能の確立の失敗を検出すると、障害ログデータの収集を要求する制御情報を第２層の通信機能上使用される信号の特定領域に設定して遠隔装置へ送出する。
【００３１】
又遠隔装置は、監視装置から送信された第２層の通信機能上使用される信号の特定領域に設定された制御情報に従って障害ログデータの収集を行う。
【００３２】
すなわち遠隔装置は、監視装置から送信された第２層の通信機能上使用される信号の特定領域に設定された制御情報が障害ログデータの収集を要求する障害ログ収集要求であった場合に、第２層の通信機能上使用される信号の特定領域に、障害ログデータの送信の状況を示す制御情報（後述する図１４（ｂ）参照）及び障害ログデータ自体を設定して監視装置へ応答する。
【００３３】
又監視装置は、このようにして遠隔装置から応答された第２層の通信機能上使用される信号の特定領域に設定された制御情報と障害ログデータとを読み取ることで、遠隔装置の障害ログデータを収集する。
【００３４】
以下図とともに本発明の一実施例による監視システムの詳細について説明する。
【００３５】
図１は本発明の一実施例による監視システムを適用した無線基地局の構成を説明するためのブロック図である。
【００３６】
図１に示す如く、無線基地局３０は変復調部としての無線制御部１０と、送受信増幅部としての無線部２０とを有し、移動局装置（すなわち移動端末）４０との間で送受信する無線信号を有線伝送路の信号に変換する。ここで変復調部としての無線制御部１０と送受信増幅部としての無線部２０とは上記ＣＰＲＩにより相互に接続される。
【００３７】
又無線制御部１０は無線部２０の監視制御を行ない、無線部２０は無線制御部１０からの保守監視信号の指示に基づいた動作を実施する。
【００３８】
図１に示される無線ネットワーク制御装置／保守装置５０は無線通信網全体を制御し保守するため、当該無線通信網に属する上記無線基地局３０と同様の構成を有する複数の無線基地局を制御及び保守するための情報処理装置である。
【００３９】
図２は無線制御部１０の機能を説明するための機能ブロック図である。
【００４０】
図２に示す如く、無線制御部１０は無線送受信インタフェース部１１，ベースバンド信号処理部１２，伝送路インタフェース機能部１３，保守監視制御機能部１４，システムデータ記憶機能部１５及び呼処理監視制御機能部１６を有する。
【００４１】
無線送受信インタフェース機能部１１はベースバンド信号処理機能部１２と無線部２０との間のＩ／Ｑ信号（ユーザデータ）及び保守監視信号を光ファイバで伝送するＣＰＲＩ機能を有する。
【００４２】
ベースバンド信号処理機能部１２は送信データの誤り訂正符号化、フレーム化、データ変調、および、受信データの誤り訂正復号化、デフレーム化、データ復調等を行なう。
【００４３】
伝送路インタフェース機能部１３は無線ネットワーク制御装置／保守装置５０との間のインタフェース機能を有する。
【００４４】
保守監視制御機能部１４は無線ネットワーク制御装置／保守装置５０から送信された保守監視信号の指示を基に、無線部２０及び無線制御部１０の状態管理、状態制御を行なう。
【００４５】
システムデータ記憶機能部１５は無線基地局３０の動作に必要なプログラムやデータ、障害ログを記憶する。
【００４６】
呼処理監視制御機能部１６は無線ネットワーク装置／保守装置５０との間で呼処理制御信号の送受信を行い、無線回線管理、無線回線の設定、解放等の呼処理を行なう。
【００４７】
図３は無線部２０の機能を説明するための機能ブロック図である。
【００４８】
図３に示される如く無線部２０は送受信周波数共用器２１，送信増幅器２２，無線送受信機能部２３，無線送受信インタフェース機能部２４，受信フィルタ２５，受信増幅器２６，保守監視制御機能部２７及びシステムデータ記憶機能部２８を有する。
【００４９】
送受信周波数共用器２１は送信無線周波数信号と受信無線周波数信号とを多重分離する機能を有し、送信増幅器２２および受信増幅器２６に接続される。
【００５０】
送信増幅器２２は送信無線信号を増幅する。
【００５１】
無線送受信機能部２３は無線制御部１０のベースバンド信号処理機能部１２でベースバンド拡散処理された送信ベースバンド信号を直交変調により送信無線周波数信号に変換するとともに、受信無線周波数信号を受信ベースバンド信号に変換する。
【００５２】
無線送受信インタフェース機能部２４は無線制御部１０のベースバンド信号処理機能部１２と無線送受信機能部２３との間のＩ／Ｑ信号（ユーザデータ）及び保守監視信号を光ファイバで伝送するＣＰＲＩ機能を有する。
【００５３】
受信フィルタ２５は受信無線周波数信号以外の周波数をフィルタリングする。
【００５４】
受信増幅器２６はアンテナで受信された受信無線周波数信号を電力増幅する。
【００５５】
保守監視制御機能部２７は無線制御部１０から送信された保守監視信号の指示を基に、無線部１０の状態管理、状態制御を行なう。
【００５６】
システムデータ記憶機能部２８は無線基地局３０の動作に必要なプログラムやデータ、障害ログを記憶する。
【００５７】
図４は無線基地局３０が実施する動作を説明するためのシーケンス図である。
【００５８】
図４中、ステップＳ１にて、リセット動作等により一旦遠隔装置としての無線部２０と監視装置としての無線制御部１０との間の通信が切断された後、再度双方間の通信を確立するための動作が開始される。
【００５９】
ステップＳ２にて、ＯＳＩの第１層の通信機能を確立する。具体的には、光ケーブルのインタフェース等の条件が合致すれば、無線制御部１０，無線部２０の双方のハードウェアにて第１層の通信機能の確立が認識される。
【００６０】
当該認識後、無線制御部１０及び無線部２０の保守監視制御部１６，２７がその旨の通知を受けると第２層の通信機能の確立を開始する。その後はステップＳ３、Ｓ４にて、後述する図１１ＡのステップＳ２１から始まる動作が開始される。
【００６１】
すなわち無線制御部１０から無線部２０へＳＡＢＭ信号が送出され（ステップＳ３）、これに対するＵＡ信号が正しく返って来る（ステップＳ４）と、第２層の通信機能が確立したと判断される。
【００６２】
その後ステップＳ５、Ｓ６にて、後述する図１２ＡのステップＳ４１から始まる動作が開始される。
【００６３】
すなわち無線制御部１０から無線部２０へヘルスチェック要求信号が送出され（ステップＳ５）、これに対しヘルスチェック応答信号が正しく返って来る（ステップＳ６）と第３層の通信機能が確立したと判断される。
【００６４】
その後実際の運用状態に入り、無線制御部１０は状態収集要求信号を無線部２０へ送出し（ステップＳ７，Ｓ９）、これに対する応答信号（ステップＳ８，Ｓ１０）の内容を参照することで無線部２０の状態を監視制御する。すなわちポーリング監視を行う。
【００６５】
その間無線制御部１０が無線部２０の状態変化を検出すると無線ネットワーク制御装置／保守装置５０に対しその旨を通知する（ステップＳ１１）。
【００６６】
図５は無線基地局３０において、無線制御部１０が光ファイバを使用したＣＰＲＩのリンクを介して複数の無線部２０−１，２０−２，．．．，２０−ｎ（これらを総称して無線部２０と称する場合がある）のそれぞれと接続された状態を示す。
【００６７】
このように本発明の実施例による監視システムが適用された無線基地局３０では、監視装置としての無線制御部１０と、遠隔装置としての無線部２０とが離れた場所に設置され、その間が光ファイバで結ばれ、1対nの接続形態が実現されている。
【００６８】
又無線制御部１０と無線部２０との間のインタフェース部には上記ＣＰＲＩ（Ｃｏｍｍｏｎ  Ｐｕｂｌｉｃ  Ｒａｄｉｏ  Ｉｎｔｅｒｆａｃｅ）が用いられる。
【００６９】
図６はＣＰＲＩにおけるプロトコルの概要を示している。
【００７０】
ＣＰＲＩにおける保守監視信号の送受信は、図６中、第２層のＨＤＬＣリンクのＬＡＰＢプロトコル（ＬＡＰＢ  Ｐｒｏｔｏｃｏｌ）を使用して行われ、その上位レイヤである第３層のコントロール＆マネジメントプレーン（Ｃｏｎｔｒｏｌ  ＆  Ｍａｎａｇｅｍｅｎｔ  Ｐｌａｎｅ）が用いられる。
【００７１】
図７は第２層の通信機能の確立させる場合のＬＡＰＢフレームフォーマットを示し、図８は当該フォーマットの各フレームに対するにパラメータの設定例を示す。
【００７２】
図８（ａ）はＳＡＢＭ信号の場合の例を示し、図８（ｂ）はＵＡ信号の場合の例を示す。ここでＳＡＢＭ信号は第２層のリンク設定を要求する信号であり、ＵＡ信号はＳＡＢＭ信号に対する応答信号である。
【００７３】
図７，図８中「フラグシーケンス(F)」はフレームの開始または終了を示す特有のパターン(０１１１１１１０)である。
【００７４】
「アドレス部(A)」は信号方向を示す。図８（ａ）に示すＳＡＢＭ信号の場合の例では信号方向が監視装置１０から遠隔装置２０であり、当該方向を示す１１００００００が設定されている。図８（ｂ）に示すＵＡ信号の場合に例では信号方向が遠隔装置２０から監視装置１０であり、当該方向を示す１０００００００が設定されている。
【００７５】
又「制御部(C)」には、当該信号にて送信されるフレーム、コマンド／レスポンスの種類及びデータの通番（送受信順序番号）を示す情報が設定される。この「制御部」が示す情報は、当該信号が情報(Ｉ)フレーム、監視（Ｓ）フレーム及び非番号制（Ｕ）フレームの３種類のうちのいずれであるかを示す。図８（ａ）の例では当該信号が非番号制フレームであるＳＡＢＭ信号である旨が示されている。
【００７６】
「情報部(Ｉ)」は情報メッセージのためのフィールドである。図８（ａ）の例は上記の如くＳＡＢＭ信号の例であるため、従来は、この「情報部（Ｉ）」に情報は設定されなかった。すなわち図９，図１０とともに後述する如く、従来は当該信号が上位層の通信機能上使用される信号として使用される場合にのみ当該「情報部（Ｉ）」のフレームに情報が設定されていた。
【００７７】
「フレーム検査シーケンス（FCS）」は誤り制御のためのフィールドである。
【００７８】
図９は、第３層の通信機能を確立させる場合のコントロール＆マネジメントプレーンのフォーマットを示し、図１０は当該フォーマットに対する設定例を示す。
【００７９】
図１０（ａ）は当該信号の信号種別が「ヘルスチェック要求」の要求信号である旨を示す設定例を示し、図１０（ｂ）は当該信号の信号種別が「ヘルスチェック応答」の応答信号である旨を示す設定例を示す。
【００８０】
「ヘルスチェック要求」の要求信号は、例えば図４中、ステップＳ５において送信されるものであり、相手側の機器（本実施例の場合には無線部（遠隔装置）２０）が正常に動作しているか否かに関する情報の送信を求める信号であり、「ヘルスチェック応答」の応答信号は、図４中、ステップＳ６において送信されるものであり、上記「ヘルスチェック要求」の要求信号に対する応答として、当該相手側の機器が自己の状態に係る情報を送信するための信号である。
【００８１】
図９，図１０に示す上述のコントロール＆マネジメントプレーンの内容は、第２層の通信機能確立後、第３層の通信機能確立失敗した場合に、図８に示す上述のＳＡＢＭ信号及びＵＡ信号中、情報部（Ｉ）のフレームに設定されて送信される。
【００８２】
図１１Ａ，１１Ｂは、本発明の実施例による監視システムにおいて、正常に第２層の通信機能が確立する際の動作を説明するためのフローチャートであり、図１２Ａ、１２Ｂは第２層の通信機能の確立後、正常に第３層が確立する際の動作を説明するためのフローチャートである。
【００８３】
図１１Ａ中、ステップＳ２１にて監視装置１０が、第２層の通信機能が確立していないと判断し（ＮＯ），更にステップＳ２２にて第３層の通信機能が確立していないと判断すると（ＮＯ），ＳＡＢＭ信号を作成し（ステップＳ２７）、遠隔装置２０へと送出する。
【００８４】
なおステップＳ２２の判断結果がＹＥＳとなる場合とは第２層の通信機能が確立されていない状態で第３層の通信機能が確立される場合であり、このようなことは現実にはあり得ず、したがってその場合エラーとなり、動作を終了する。
【００８５】
ステップＳ２７で監視装置１０から送信されたＳＡＭＢ信号を受けた遠隔装置２０は同信号が正常なＳＡＢＭ信号であることを認識すると（ステップＳ２８，Ｓ２９、Ｓ３０のＹＥＳ）、これに対する応答としてＵＡ信号を監視装置１０に送信する（ステップＳ３１）。
【００８６】
これを受けた監視装置１０は同信号が正常なＵＡ信号であることを認識すると（ステップＳ３２，Ｓ３３，Ｓ３４のＹＥＳ）、第２層の通信機能が確立したと判断する（ステップＳ３５，Ｓ３６）。
【００８７】
監視装置１０は次にステップＳ２１に戻り、第２層の通信機能が確立済みと判断し（ＹＥＳ）、第３層の通信機能が未確立と判断し（ステップＳ２４のＮＯ）、第３層の通信機能の確立を実施する（ステップＳ２４，Ｓ２５，後述する図１２Ａ、１２Ｂ）
監視装置１０はその後再びステップＳ２１に戻り、第２層の通信機能が確立済みと判断し（ＹＥＳ）、更に第３層の通信機能が確立済みと判断すると（ステップＳ２４のＹＥＳ、Ｓ２６）、その後は通常の運用状態に入る。
【００８８】
図１２Ａ，１２Ｂ中、監視装置１０は、第３層の通信機能を確立する場合、第３層の通信機能の確立の失敗を検出するため、確立タイマ及び確立リトライカウンタを設定し（ステップＳ４１，Ｓ４２）、上記ヘルスチェック要求信号を作成して遠隔装置２０へ送出する（ステップＳ４３）。
【００８９】
遠隔装置２０はヘルスチェック要求信号を受信しその信号内容が正常であれば（ステップＳ４４，Ｓ４５，Ｓ４６のＹＥＳ）、ヘルスチェック応答信号を応答する（ステップＳ４７）。
【００９０】
監視装置１０は前記確立タイマのタイムアウト時間内に遠隔装置２０からヘルスチェック応答信号を受信すると（ステップＳ４８，Ｓ４９のＹＥＳ）、その信号内容をチェックし（ステップＳ５０）、その信号内容が正常であった場合（ステップＳ５１のＹＥＳ）、第３層の通信機能が確立したと判断する（ステップＳ５２，Ｓ５３）。
【００９１】
他方監視装置１０は前記確立タイマのタイムアウト時間内にヘルスチェック応答信号を受信しなかった場合（Ｓ４９のＹＥＳ），タイムアウトと判断し第３層の通信機能の確立が失敗したと判断する（ステップＳ５８）。
【００９２】
又監視装置１０は受信信号の信号内容が異常であった場合（ステップＳ５１のＮＯ）、何度かリトライを実施して第３層の通信機能の確立を試みる（ステップＳ５４，Ｓ５５，Ｓ５６，Ｓ４３〜Ｓ５１，Ｓ５４のループ）。このループ動作の繰り返しの結果リトライの回数が上記リトライカウンタの設定値に達した場合（ステップＳ５４のＹＥＳ）、第３層の通信機能の確立が失敗したと判断する（ステップＳ５７）。
【００９３】
尚ステップＳ５９，Ｓ６０の動作については図１６Ａ，１６Ｂとともに後述する。
【００９４】
ここで上記図１１Ａ，１１Ｂ，図１２Ａ，１２Ｂに示す動作の流れにおいて、図１２Ｂ中のステップＳ５９，Ｓ６０の動作を除いた動作の流れは周知のＯＳＩのプロトコルによる第２層及び第３層の通信機能を確立する手順と同様なためここでの詳細な説明は省略する。
【００９５】
図１３は本発明の実施例による監視システムにおける監視装置１０が有する制御フラグの例を示す。
【００９６】
図１３に示す如く、監視装置１０は、その装置の内部に格納される情報として、第２層確立済みフラグ（１）、第３層確立済みフラグ（２）、第３層確立処理未実施フラグ（２ｂ）及び第２層による障害ログ収集済みフラグ（３）の計４個のフラグを有する。
【００９７】
第２層確立済みフラグ（１）は第２層の通信機能が確立したと判断した際に立てるフラグであり、第３層確立済みフラグ（２）は第３層の通信機能が確立したと判断した際に立てるフラグであり、第３層確立処理未実施フラグ（２ｂ）は第３層の通信機能を確立するための処理が未だ一度も実施されていないことを示すフラグであり、第２層による障害ログ収集済みフラグ（３）は第２層の通信機能上使用される信号を使用した遠隔装置２０の障害ログデータの収集が済んだと判断した場合に立てるフラグである。
【００９８】
図１４（ａ）は第２層の通信機能上使用される第１の信号としての上記ＳＡＢＭ信号の所定領域である上記情報部（Ｉ）のフレームに設定する制御情報の設定例を示し、図１４（ｂ）は第２層の通信機能上使用される第２の信号としての上記ＵＡ信号の所定領域である上記情報部（Ｉ）のフレームに設定する制御情報の設定例を示す。
【００９９】
図１４（ａ）に示す如くＳＡＢＭ信号の情報部（Ｉ）のフレームには「障害ログ収集要求」（４）の制御情報が設定され、図１４（ｂ）に示す如く、ＵＡ信号の情報部（Ｉ）には「障害ログ送信中」或いは「障害ログ送信済み」（５）を示す制御情報及び実際の障害ログデータ（６）が設定される。
【０１００】
図１５は特に、本発明の実施例による監視システムにおける監視装置としての無線制御部１０及び遠隔装置としての無線部２０の各々の機能のうち、監視装置１０及び遠隔装置２０としての機能を、無線送受信インタフェース機能部１１，２４及び保守監視制御機能部１４，２７のそれぞれの機能を中心に説明するための機能ブロック図である。
【０１０１】
図１５に示す如く、監視装置１０は第２層の通信機能に係る信号受信部１０ａ、信号分析部１０ｂ、信号設定部１０ｇ及び信号送信部１０ｈ、並びに、第３層の通信機能に係る信号受信部１０ｃ、信号分析部１０ｄ、信号設定部１０ｅ，信号送信部１０ｆ及び監視制御部１０ｉを有する。
【０１０２】
同様に遠隔装置２０は第２層の通信機能に係る信号受信部２０ａ、信号分析部２０ｂ、信号設定部２０ｇ及び信号送信部２０ｈ、並びに、第３層の通信機能に係る信号受信部２０ｃ、信号分析部２０ｄ、信号設定部２０ｅ，信号送信部２０ｆ及び監視制御部２０ｉを有する。
【０１０３】
監視制御部１０ｉ，２０ｉは第２層、第３層の通信機能の確立の状態の管理や、第２層、第３層の通信機能に係る各機能ブロックからの処理結果の判断、次制御の指示を行う。
【０１０４】
第２層の通信機能に係る信号設定部１０ｇ、２０ｇは第２層の通信機能上使用される信号について、そのアドレス部や制御部などの各フレームの情報を生成、設定し、信号送信部１０ｈ、２０ｈへ転送する。
【０１０５】
同信号送信部１０ｈ、２０ｈは、第２層の通信機能上使用される信号を対向する装置へ送信する。
【０１０６】
同信号受信部１０ａ，２０ａは、第２層の通信機能上使用される信号を受信し、これを信号分析部１０ｂ、２０ｂへ転送する。
【０１０７】
同信号分析部１０ｂ、２０ｂは、第２層の通信機能上使用される信号の各フレームから情報を取り出し、正しい情報が設定されているかどうか判断する。
【０１０８】
第３層の通信機能に係る信号設定部１０ｅ，２０ｅは第３層の通信機能上使用される信号について、その信号種別などの情報を生成し、該当するフレームに設定し、同信号を信号送信部１０ｆ、２０ｆへ転送する。
【０１０９】
同信号送信部１０ｆ、２０ｆは、第３層の通信機能上使用される信号の情報を第２層の信号設定部１０ｇ、２０ｇへ送信する。
【０１１０】
同信号受信部１０ｃ、２０ｃは、第２層の信号分析部１０ｂ、２０ｂから転送された情報を受信する。
【０１１１】
同信号分析部１０ｄ、２０ｄは、第３層の通信機能上使用される信号の各パラメータについて、正しい情報が設定されているかどうか判断する。
【０１１２】
このように監視装置１０は、第２層及び第３層の通信機能上使用される信号の送受信を行う機能部１０ａ〜１０ｈを具備し、監視制御部１０ｉにてそれらの機能部を制御する。
【０１１３】
例えば、監視装置１０と遠隔装置２０との間の第２層の通信機能が確立したかどうかを判断するのは監視制御部１０ｉである。監視制御部１０ｉにて第２層の通信機能が確立したと判断した場合、第３層の通信機能に係る信号設定部１０ｅを起動することにより、第３層の通信機能の確立手順を開始する。
【０１１４】
遠隔装置２０も同様に、第２層及び第３層の通信機能上使用される信号の送受信を行う機能部２０ａ〜２０ｈを具備し、監視制御部２０ｉにて、それらの機能部を制御している。
【０１１５】
例えば、監視装置１０から第２層の通信機能上使用される信号を受信すると、その信号分析を行い、その結果信号に含まれた情報が正しければ、監視制御部２０ｉが第２層の通信機能に係る信号設定部２０ｇを起動し、第２層の通信機能上使用される信号の応答を実施する。
【０１１６】
以下図１６Ａ，１６Ｂ及び図１７Ａ，１７Ｂ，１７Ｃとともに、本発明の実施例による監視システムにおいて、正常に第２層の通信機能まで確立したが、第３層の通信機能の確立がタイムアウトにより失敗したため、第２層の通信機能上使用される信号を使用して遠隔装置２０の障害ログデータを収集する場合の動作について説明する。
【０１１７】
図１６Ａ，１６Ｂに示す動作フローチャートは図１２Ａ，１２Ｂとともに上述のものと同様の内容を有し、対応するステップに同一のステップ番号を付し適宜重複する説明を省略する。
【０１１８】
監視装置１０は図１１Ａ，１１Ｂとともに上述の動作を実施することにより第２層の通信機能の確立（図１１Ａ中、ステップＳ２１のＹＥＳ、Ｓ２４のＮＯ）後、図１２Ａ中、ステップＳ４１，Ｓ４２，Ｓ４３にて第３層の通信機能上使用される信号としてヘルスチェック要求信号を遠隔装置２０へ送出する。
【０１１９】
図１６Ａ，１６Ｂの場合上述の図１２Ａ，１２Ｂの場合と異なり、遠隔装置２０において何らかの障害が発生（Ｘ１）した場合を想定している。この障害のため遠隔装置２０においてステップＳ４４〜Ｓ４７の動作がなされず、ヘルスチェック応答の監視装置１０への送信（ステップＳ４７）がなされない。
【０１２０】
その結果監視装置１０はタイムアウトを検出し（ステップＳ４８，Ｓ４９のＹＥＳ）、第３層の通信機能の確立が失敗したと判断する（ステップＳ５８）。
【０１２１】
監視装置１０はこのように第３層の通信機能の確立が失敗したと判断すると、ステップＳ５９にて、図１３とともに上記した「第２層による障害ログ収集済みフラグ」（３）を参照する。未だ遠隔装置２０の障害ログデータの収集は実施されていないため同フラグ（３）は立てられておらず（ステップＳ５９のＮＯ），ステップＳ６０にて、後述する図１７Ａ，１７Ｂ，１７Ｃの動作を実施することで、第２層の通信機能上使用される信号を使用した遠隔装置２０の障害ログデータの収集動作を実施する。
【０１２２】
すなわち監視装置１０は、図１７Ａ中、ステップＳ８１にて、図１３とともに上記した「第２層確立済みフラグ」（１）を参照し、第２層の通信機能が確立済みか否かを判断する。上記の如く既に図１１Ａ，１１Ｂに示される動作により第２層の通信機能は確立済みであるため、同フラグ（１）は立てられた状態とされており、もってステップＳ８１の判断結果はＹＥＳとなる。
【０１２３】
その場合次にステップＳ８４にて、図１３とともに上記した「第３層確立済みフラグ」（２）を参照し、第３層の通信機能が確立済みか否かを判断する。上記の如く図１６ＢのステップＳ５８で第３層の通信機能の確立が失敗したと判断されているため、同フラグ（２）は立てられていない状態とされており、もってステップＳ８４の判断結果はＮＯとなる。
【０１２４】
その場合次にステップＳ８５にて、図１３とともに上記した「第３層確立処理未実施フラグ」（２ｂ）を参照し、第３層の通信機能の確立の処理を未だ一度も実施していない状態か否かを判断する。この場合既に図１６Ａ，１６Ｂとともに上述した如く、第３層の通信機能を確立する処理を実施しているため、ステップＳ８５の判断結果はＮＯとなる。
【０１２５】
その場合次にステップＳ８７にて、図１３とともに上記した「第２層による障害ログ収集済みフラグ」（３）を参照する。この場合未だ遠隔装置２０の障害ログデータの収集は行っていないため、ステップＳ８７の判断結果はＮＯとなる。
【０１２６】
その場合次にステップＳ８８にて、所定領域である情報部（Ｉ）のフレームに「障害ログ収集要求」（４）（図１４（ａ）参照）の制御情報を設定した、第２層の通信機能上使用される第１の信号としてのＳＡＢＭ信号を作成し、同信号を遠隔装置２０へ送出する（ステップＳ８３）。
【０１２７】
遠隔装置２０は、このＳＡＢＭ信号を受信する（ステップＳ８９，Ｓ９０，Ｓ９１）と、その情報部（Ｉ）のフレームに情報が設定されているかどうかを判断する（ステップＳ９２）。この判断の結果、同信号の情報部（Ｉ）のフレームには上記の如く「障害ログ収集要求」（４）の制御情報が設定されている（ステップＳ９２のＹＥＳ）ため、ステップＳ９４にて、遠隔装置２０はその装置内の不揮発性メモリ等に格納された障害ログデータを読み出す。
【０１２８】
この場合上記の如く遠隔装置２０において何らかの障害が発生（図１６Ａ中、Ｘ１）しており、周知の手順によって当該障害に関する情報が遠隔装置２０内の不揮発メモリ等に自動的に記録されており、ステップＳ９４ではこのようにして遠隔装置２０の不揮発メモリ等に自動で記録された当該障害に関する情報、すなわち障害ログデータが読み出される。
【０１２９】
次にステップＳ９５にて、ステップＳ９４で不揮発メモリ等から読み出した障害ログデータが、一連の障害ログデータのうちの最後の障害ログデータであるか否かを判断する。すなわち、遠隔装置２０の不揮発メモリ等に格納されている障害ログデータの全てを一度に送信せずに分割して送信（「分割送信」と称する）する場合、今回の動作におけるステップＳ９４にて読み出した障害ログデータが、当該分割送信に係る分割された障害ログデータのうちの最後のものか否かを判断する。
【０１３０】
ステップＳ９５の判断結果がＮＯの場合、遠隔装置２０は第２層の通信機能上使用される第２の信号である上記ＵＡ信号の所定領域である上記情報部（Ｉ）フレームに、図１４（ｂ）とともに上記した「障害ログ送信中」（５）を示す制御情報及び障害ログデータ（６）自体を設定し、監視装置１０へ応答として送信する（ステップＳ９６，Ｓ９７、Ｓ９９）。
【０１３１】
監視装置１０は、このＵＡ信号を受信する（ステップＳ１００，Ｓ１０１，Ｓ１０２）と、その情報部（Ｉ）のフレームに情報が設定されているかどうかを判断する（ステップＳ１０３）。この場合上記の如く、ＵＡ信号の情報部（Ｉ）のフレームには「障害ログ送信中」（５）を示す制御情報が設定されているため（ステップＳ１０３のＹＥＳ、Ｓ１０５のＮＯ、Ｓ１０７のＹＥＳ），上記の如く同情報部（Ｉ）のフレームに更に設定されている障害ログデータ（６）自体を取得する（ステップＳ１０８）。そして前記分割送信に係る残りの障害ログデータを収集するため、再度上記同様の遠隔装置２０の障害ログデータを収集する動作（ステップＳ８１〜Ｓ１０８）を実施し、以降ステップＳ１０５の判断結果がＹＥＳとなるまで、同遠隔装置２０の障害ログデータを収集する動作（ステップＳ８１〜Ｓ１０８）を繰り返す。
【０１３２】
遠隔装置２０は前記分割送信に係る最後の障害ログデータを送信する場合（ステップＳ９５のＹＥＳ）は、ＳＡＢＭ信号の情報部（Ｉ）のフレームに、図１４（ｂ）とともに上記した「障害ログ送信完了」（５）を示す制御情報及び当該障害ログデータ（６）自体を設定し、監視装置１０へ応答として送信する。
【０１３３】
その場合監視装置１０は、このＵＡ信号を受信（ステップＳ１００，Ｓ１０１，Ｓ１０２）後、その情報部（Ｉ）のフレームに設定されている制御情報が「障害ログ送信終了」（５）を示すものであるため（ステップＳ１０５のＹＥＳ），その情報部（Ｉ）のフレームに更に設定されている上記障害ログデータ（６）自体を取得（ステップＳ１０６）した後、当該遠隔装置２０の障害ログデータを収集する動作を終了する。
【０１３４】
ここでステップＳ８１の判断結果がＮＯの場合、すなわち第２層の通信機能の確立が未だなされていない場合、ステップＳ８２にて、図１１ＡにおけるステップＳ２２同様、第３層の通信機能の確立が済んでいるか否かを判断し、これが未確立の場合、第２層の通信機能の確立のための動作、すなわち図１１Ａ、１１ＢにおけるステップＳ２７，Ｓ２８，Ｓ２９，Ｓ３０，Ｓ３１の動作と同様のステップＳ８９，Ｓ９０，Ｓ９１，Ｓ９９を実施し（この場合上記ステップＳ９２の判断結果はＮＯとなる）、図１１ＢにおけるステップＳ３２，Ｓ３３，Ｓ３４，Ｓ３５の動作と同様のステップＳ１００，Ｓ１０１，Ｓ１０２，Ｓ１０４の動作を実施する（この場合上記ステップＳ１０３の判断結果はＮＯとなる）。
【０１３５】
なおステップＳ８２の判断結果がＹＥＳとなる場合とは第２層の通信機能が確立されていない状態で第３層の通信機能が確立される場合であり、このようなことは現実にはあり得ず、したがってその場合エラーとなり動作を終了する。
【０１３６】
このように本発明の実施例による監視システムによれば、従来は上記コントロール＆マネジメントプレーンを設定して第３層の通信機能の確立のために使用されていた、第２層の通信機能上使用される第１の信号としてのＳＡＢＭ信号及び第２層の通信機能上使用される第２の信号としてのＵＡ信号の情報部（Ｉ）のフレームを使用し、同フレームに図１４（ａ）とともに上記した「障害ログ収集要求」（４）の制御情報を設定したＳＡＢＭ信号を第２層の通信機能により監視装置１０から遠隔装置２０に送信し、これを受信した遠隔装置２０では同制御情報にしたがって遠隔装置２０内の状態に係る情報としての障害ログデータを収集し、このようにして収集された障害ログデータ、すなわち図１４（ｂ）とともに上記した障害ログデータ（６）を遠隔装置２０がＵＡ信号の情報部（Ｉ）のフレームに設定して第２層の通信機能により監視装置１０に応答として送信する。
【０１３７】
その結果、第３層の通信機能の確立に失敗した場合であっても、第２層の通信機能上使用される信号を利用して監視装置１０が遠隔装置２０の障害ログデータを収集することが可能となり、もって遠隔装置２０における障害の要因の迅速な解析が可能となり当該監視システムの迅速な復旧が可能となる。
【０１３８】
図１８は上述の本発明の実施例における監視システムにおける監視装置１０及び遠隔装置２０の各々の動作をコンピュータで制御する場合について説明するための、コンピュータのハードウェア構成例を示すブロック図である。
【０１３９】
図１８に示すごとく、同コンピュータ５００は、与えられたプログラムを構成する命令を実行することによって様々な動作を実行するためのＣＰＵ５０１と、操作部５０２と、ＣＰＵ５０１が実行するプログラム、データ等を記憶したり作業領域として使用されるメモリ５０４と，インターネット、ＬＡＮ等の通信網５０９を介して外部からプログラムをダウンロード等するためのモデム５０８とを有する。又上記メモリ５０４は、いわゆるメモリ（ＲＡＭ等）と不揮発メモリと（いずれも図示を省略する）に大別される。
【０１４０】
同コンピュータ５００では、その製品出荷時、メモリ５０４に含まれる上記不揮発メモリに図１〜図１７Ａ，１７Ｂ，１７Ｃとともに上述した監視装置１０或いは遠隔装置２０の動作、特に図４，図１１Ａ，１１Ｂ，図１２Ａ，１２Ｂ，図１６Ａ，１６Ｂ，図１７Ａ，１７Ｂ，１７Ｃのフローチャートとともに上述した動作を実行するためのプログラムがファームウェアとして格納される。
【０１４１】
そしてこれらが適宜メモリ５０４に含まれる上記いわゆるメモリ（ＲＡＭ等）にロードされ、これらがＣＰＵ５０１によって実行されることにより、同コンピュータ５００によって上記監視装置１０或いは遠隔装置２０の動作が実現される。
【０１４２】
又上記プログラム自体の入れ替え、アップグレード等は、モデム５０８の使用により通信ネットワーク（ＬＡＮ）５０９を介して該当するプログラムをダウンロードすることにより実現される。
【０１４３】
本発明は以下の付記に記載の構成をとり得る。
（付記１）
通信機能を物理層である第１層、データリンク層である第２層及びネットワーク層である第３層を含む複数の階層に分けて確立する通信方式により監視装置が被監視装置を監視する監視方法であって、
前記監視装置が前記第２層の通信機能の確立後、前記第３層の通信機能の確立の失敗を検出する検出段階と、
前記監視装置が、前記検出段階において前記第３層の通信機能の確立の失敗が検出された場合、前記第２層の通信機能上使用される第１の信号の所定領域に情報収集を要求する制御情報を設定した上で、当該第１の信号を前記第２層の通信機能により前記被監視対象装置に対し送出する要求段階と、
前記被監視装置が、前記要求段階で前記監視装置から送出された第１の信号を受信すると、当該第１の信号の前記所定領域に設定された情報収集を要求する制御情報にしたがって当該被監視装置の状態に係る情報を収集する情報収集段階と、
前記被監視装置が、前記第２層の通信機能上使用される第２の信号の所定領域に前記情報収集段階で収集された情報を設定した上で、前記第２の信号を、前記第２層の通信機能により前記監視装置に送出する応答段階と、
前記応答送出段階で前記被監視装置から送出された第２の信号を受信すると、当該受信された第２の信号の前記所定領域に設定されている情報を読み出して前記被監視装置の状態に係る情報を取得する収集情報取得段階と
を有する監視方法。
（付記２）
前記監視装置と被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
付記１に記載の監視方法。
（付記３）
前記情報収集段階で収集される前記被監視装置の状態に関する情報は障害ログデータとされてなる
付記１又は２に記載の監視方法。
（付記４）
前記被監視装置は無線通信網における無線基地局の送受信増幅機能を担う無線部とされ、
前記監視装置は前記無線基地局において、変復調機能を有する無線制御部とされてなる
前記付記１〜３のうちの何れかに記載の監視方法。
（付記５）
通信機能を物理層である第１層、データリンク層である第２層及びネットワーク層である第３層を含む複数の階層に分けて確立する通信方式により被監視装置を監視する機能を有する情報処理装置であって、
前記第２層の通信機能の確立後、前記第３層の通信機能の確立の失敗を検出する検出手段と、
前記検出手段により前記第３層の通信機能の確立の失敗が検出された場合、前記第２層の通信機能上使用される第１の信号の所定領域に情報収集を要求する制御情報を設定した上で、当該第１の信号を前記第２層の通信機能により前記被監視対象装置に対し送出する要求手段と、
当該送出された第１の信号を受信した前記被監視装置が、当該第１の信号の前記所定領域に設定された情報収集を要求する制御情報にしたがって当該被監視装置の状態に係る情報を収集し、前記第２層の通信機能上使用される第２の信号の所定領域に前記収集された情報を設定した上で、前記第２層の通信機能により前記第２の信号を送信すると、当該第２の信号を受信しその前記所定領域に設定されている情報を読み出して前記被監視装置の状態に係る情報を取得する収集情報取得手段と
を有する情報処理装置。
（付記６）
前記被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
付記５に記載の情報処理装置。
（付記７）
通信機能を物理層である第１層、データリンク層である第２層及びネットワーク層である第３層を含む複数の階層に分けて確立する通信方式による、監視装置の監視下にある情報処理装置であって、
監視装置が、前記第２層の通信機能の確立後、前記第３層の通信機能の確立の失敗を検出し、前記第２層の通信機能上使用される第１の信号の所定領域に情報収集を要求する制御情報を設定した上で、当該第１の信号を前記第２層の通信機能により送出すると、これを受信し、当該第１の信号の前記所定領域に設定された情報収集を要求する制御情報にしたがって、当該情報処理装置の状態に係る情報を収集する情報収集手段と、
前記第２層の通信機能上使用される第２の信号の所定領域に前記収集された情報を設定した上で、前記第２層の通信機能により前記第２の信号を送信する応答手段と
を有する情報処理装置。
（付記８）
前記監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
付記７に記載の情報処理装置。
（付記９）
通信機能を物理層である第１層、データリンク層である第２層及びネットワーク層である第３層を含む複数の階層に分けて確立する通信方式により被監視装置を監視する機能を有する情報処理装置の動作を制御するためのプログラムであって、
前記情報処理装置の動作を制御するコンピュータを
前記第２層の通信機能の確立後、前記第３層の通信機能の確立の失敗を検出する検出手段と、
前記検出手段により前記第３層の通信機能の確立の失敗が検出された場合、前記第２層の通信機能上使用される第１の信号の所定領域に情報収集を要求する制御情報を設定した上で、当該第１の信号を、前記第２層の通信機能により、前記被監視対象装置に対し送出する要求手段と、
当該送出された第１の信号を受信した前記被監視装置が、当該第１の信号の前記所定領域に設定された情報収集を要求する制御情報にしたがって、当該被監視装置の状態に係る情報を収集し、前記第２層の通信機能上使用される第２の信号の所定領域に前記収集された情報を設定した上で、前記第２層の通信機能により前記第２の信号を送信すると、当該第２の信号を受信しその前記所定領域に設定されている情報を読み出して前記被監視装置の状態に係る情報を取得する収集情報取得手段と
して機能させるためのプログラム。
（付記１０）
前記被監視装置との間の通信のインタフェースはＣＰＲＩによるものとされ、
前記第２層の通信機能上使用される第１の信号はＬＡＰＢプロトコル上のＳＡＢＭ信号とされ、
前記第２層の通信機能上使用される第２の信号はＬＡＰＢプロトコル上のＵＡ信号とされてなる
付記９に記載のプログラム。
【図面の簡単な説明】
【０１４４】
【図１】本発明の一実施例による監視システムの構成について説明するためのブロック図（その１）である。
【図２】図１中の無線制御部の機能を説明するための機能ブロック図である。
【図３】図１中の無線部の機能を説明するための機能ブロック図である。
【図４】図１に示す無線基地局における動作の流れを説明するためのシーケンス図である。
【図５】本発明の一実施例による監視システムの構成について説明するためのブロック図（その２）である。
【図６】図５に示すＣＰＲＩリンクにおけるプロトコルの概要を説明するための図である。
【図７】図６に示すＬＡＰＢプロトコルによるＬＡＰＢフレームフォーマットの構成を説明するための図である。
【図８】ＳＡＢＭ信号及びＵＡ信号における、図７に示すＬＡＰＢフレームフォーマットに対するパラメータの設定例について説明するための図である。
【図９】図６に示すコントロール＆マネジメントプレーンのフォーマット例について説明するための図である。
【図１０】第３層の通信機能を確立させるための要求信号と応答信号における、図６に示すコントロール＆マネジメントプレーンの設定例について説明するための図である。
【図１１Ａ】本発明の一実施例による監視システムにおいて、正常に第２層の通信機能を確立できる場合の動作の流れを説明するためのフローチャート（その１）である。
【図１１Ｂ】本発明の一実施例による監視システムにおいて、正常に第２層の通信機能を確立できる場合の動作の流れを説明するためのフローチャート（その２）である。
【図１２Ａ】本発明の一実施例による監視システムにおいて、正常に第３層の通信機能を確立できる場合の動作の流れを説明するためのフローチャート（その１）である。
【図１２Ｂ】本発明の一実施例による監視システムにおいて、正常に第３層の通信機能を確立できる場合の動作の流れを説明するためのフローチャート（その２）である。
【図１３】本発明の一実施例による監視システムにおける監視装置としての無線制御部における制御フラグの構成を説明するための図である。
【図１４】本発明の一実施例による監視システムにおいて第２層の通信機能上使用されるＳＡＢＭ信号及びＵＡ信号に対する情報の設定例について説明するための図である。
【図１５】本発明の一実施例による監視システムにおける監視装置としての無線制御部及び遠隔装置としての無線部の各々における、無線送受信インタフェース機能部及び保守監視制御機能部のそれぞれの機能について特に説明するためのブロック図である。
【図１６Ａ】本発明の一実施例による監視システムにおいて、第３層の通信機能の確立に失敗した場合の動作の流れを説明するためのフローチャート（その１）である。
【図１６Ｂ】本発明の一実施例による監視システムにおいて、第３層の通信機能の確立に失敗した場合の動作の流れを説明するためのフローチャート（その２）である。
【図１７Ａ】本発明の一実施例による監視システムにおいて、第２層の通信機能上使用される信号を使用して障害ログを収集する動作の流れを説明するためのフローチャート（その１）である。
【図１７Ｂ】本発明の一実施例による監視システムにおいて、第２層の通信機能上使用される信号を使用して障害ログを収集する動作の流れを説明するためのフローチャート（その２）である。
【図１７Ｃ】本発明の一実施例による監視システムにおいて、第２層の通信機能上使用される信号を使用して障害ログを収集する動作の流れを説明するためのフローチャート（その３）である。
【図１８】本発明の一実施例による監視システムにおける監視装置及び遠隔装置の各々をコンピュータで構成する場合について説明するためのコンピュータのハードウェアブロック図である。
【符号の説明】
【０１４５】
１０  無線制御部（監視装置）
１０ｂ、２０ｂ  信号分析部
１０ｇ、２０ｇ  信号設定部
１０ｉ，２０ｉ  監視制御部
１１、２４  無線送受信インタフェース機能部
１４，２７  保守監視制御機能部
２０  無線部（遠隔装置、被監視装置）
３０  無線基地局
４０  無線ネットワーク制御装置／保守装置
【図１】
0004854650.tif 000002
【図２】
0004854650.tif 000003
【図３】
0004854650.tif 000004
【図４】
0004854650.tif 000005
【図５】
0004854650.tif 000006
【図６】
0004854650.tif 000007
【図７】
0004854650.tif 000008
【図８】
0004854650.tif 000009
【図９】
0004854650.tif 000010
【図１０】
0004854650.tif 000011
【図１１Ａ】
0004854650.tif 000012
【図１１Ｂ】
0004854650.tif 000013
【図１２Ａ】
0004854650.tif 000014
【図１２Ｂ】
0004854650.tif 000015
【図１３】
0004854650.tif 000016
【図１４】
0004854650.tif 000017
【図１５】
0004854650.tif 000018
【図１６Ａ】
0004854650.tif 000019
【図１６Ｂ】
0004854650.tif 000020
【図１７Ａ】
0004854650.tif 000021
【図１７Ｂ】
0004854650.tif 000022
【図１７Ｃ】
0004854650.tif 000023
【図１８】
0004854650.tif 000024